【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
管状連結構造であって、
ピン部材を有し、前記ピン部材は、
谷底、山の頂、スタブフランク及びロードフランクを備えた第１のテーパ付き定ピッチ形ねじ山と、
前記第１のテーパ付き定ピッチ形ねじ山から前記ピン部材に沿って軸方向に間隔を置いて設けられた第１の可変ピッチ螺旋トルク肩表面とを有し、前記第１の可変ピッチ螺旋トルク肩表面にはテーパが付けられておらず、
ボックス部材を有し、前記ボックス部材は、
谷底、山の頂、スタブフランク及びロードフランクを備えた第２のテーパ付き定ピッチ形ねじ山と、
前記第２のテーパ付き定ピッチ形ねじ山から前記ボックス部材に沿って軸方向に間隔を置いて設けられた第２の可変ピッチ螺旋トルク肩表面であって、テーパが付けられていない第２の可変ピッチ螺旋トルク肩表面と、を有し、
前記ピン部材及び前記ボックス部材は、スタブ位置において、前記第１の可変ピッチ螺旋トルク肩表面が、前記第２の可変ピッチ螺旋トルク肩表面と係合せず、又はオーバーラップしない、管状連結構造。
【請求項２】
前記第１のテーパ付き定ピッチ形ねじ山と前記第２のテーパ付き定ピッチ形ねじ山の相互作用の制御下における前記ピン部材及び前記ボックス部材の回転メーキャップの間、前記第１の可変ピッチ螺旋トルク肩表面が案内されてこれが前記第２の可変ピッチ螺旋トルク肩表面と協働整列関係をなすように（ｉ）前記第１のテーパ付き定ピッチ形ねじ山と前記第１の可変ピッチ螺旋トルク肩表面は、互いに対して寸法決めされると共に配置され、且つ（ｉｉ）前記第２のテーパ付き定ピッチ形ねじ山と前記第２の可変ピッチ螺旋トルク肩表面は、互いに対して寸法決めされると共に配置されている、請求項１記載の管状連結構造。
【請求項３】
前記第１の可変ピッチ螺旋トルク肩表面及び前記第２の可変ピッチ螺旋トルク肩表面は、前記スタブフランクリードよりも大きいロードフランクリードを有する、請求項１に記載の管状連結構造。
【請求項４】
前記第１の可変ピッチ螺旋トルク肩表面の谷径は、前記第１のテーパ付き定ピッチ形ねじ山の始めの谷径と前記第１のテーパ付き定ピッチ形ねじ山の終わりの谷径の両方よりも小さく、
前記第２の可変ピッチ螺旋トルク肩表面の谷径は、前記第２のテーパ付き定ピッチ形ねじ山の始めの谷径と前記第２のテーパ付き定ピッチ形ねじ山の終わりの谷径の両方よりも小さい、請求項１記載の管状連結構造。
【請求項５】
前記ピン部材は、前記第１の可変ピッチ螺旋トルク肩表面と前記第１のテーパ付き定ピッチ形ねじ山との間に軸方向に第１の移行ゾーンを有し、前記第１の移行ゾーンは、第１の封止面を備え、
前記ボックス部材は、前記第２の可変ピッチ螺旋トルク肩表面と前記第２のテーパ付き定ピッチ形ねじ山との間に軸方向に第２の移行ゾーンを有し、前記第２の移行ゾーンは、第２の封止面を備え、
完全メーキャップ状態では、前記第１の封止面は、封止のために前記第２の封止面に係合する、請求項４記載の管状連結構造。
【請求項６】
前記第１の可変ピッチ螺旋トルク肩表面の軸方向長さは、前記第１のテーパ付き定ピッチ形ねじ山の軸方向長さよりも短く、
前記第２の可変ピッチ螺旋トルク肩表面の軸方向長さは、前記第２のテーパ付き定ピッチ形ねじ山の軸方向長さよりも短い、請求項５記載の管状連結構造。
【請求項７】
前記第１の可変ピッチ螺旋トルク肩表面の前記軸方向長さは、前記第１のテーパ付き定ピッチ形ねじ山の軸方向長さより実質的に短く、
前記第２の可変ピッチ螺旋トルク肩表面の前記軸方向長さは、前記第２のテーパ付き定ピッチ形ねじ山の軸方向長さよりも実質的に短い、請求項６記載の管状連結構造。
【請求項８】
前記第１の可変ピッチ螺旋トルク肩表面は、前記第１のテーパ付き定ピッチ形ねじ山よりも実質的に少ないターンにわたって延び、
前記第２の可変ピッチ螺旋トルク肩表面は、前記第２のテーパ付き定ピッチ形ねじ山よりも実質的に少ないターンにわたって延びている、請求項４記載の管状連結構造。
【請求項９】
前記第１の可変ピッチ螺旋トルク肩表面は、前記ピン部材の第１の実質的に円筒形のトルク肩表面内に実質的に延び、前記第２の可変ピッチ螺旋トルク肩表面は、前記ボックス部材の第２の実質的に円筒形のトルク肩表面内に実質的に延び、前記連結構造の完全メーキャップ位置では、前記第１の実質的に円筒形のトルク肩表面は、前記第２の実質的に円筒形のトルク肩表面に係合し、前記第１可変ピッチの螺旋トルク肩表面は、前記第２の可変ピッチ螺旋トルク肩表面に係合し、結果として、組み合わせ型円筒形・可変ピッチ螺旋トルク肩が得られる、請求項１記載の管状連結構造。
【請求項１０】
前記ピン部材及び前記ボックス部材の最終メーキャップ時、前記第１の可変ピッチ螺旋トルク肩表面と前記第２の可変ピッチ螺旋トルク肩表面は、（ｉ）前記連結構造の内周部と交差するピン‐ノーズ／ボックス‐ベース場所のところ、（ｉｉ）前記連結構造の外周部と交差するピン‐ベース／ボックス‐フェース場所のところ、又は（ｉｉｉ）前記連結構造の中央肩としての前記連結構造の中間‐壁断面のところのうちの１つである場所で係合する、請求項２記載の管状連結構造。
【請求項１１】
管状連結構造であって、
ピン部材を有し、前記ピン部材は、
第１のねじ山構造部材と、
前記第１のねじ山構造部材から前記ピン部材に沿って軸方向に間隔を置いて設けられた第１の可変ピッチ螺旋トルク肩表面とを有し、
ボックス部材を有し、前記ボックス部材は、
第２のねじ山構造部材と、
前記第２のねじ山構造部材から前記ボックス部材に沿って軸方向に間隔を置いて設けられた第２の可変ピッチ螺旋トルク肩表面とを有し、
前記第１のねじ山構造部材及び前記第２のねじ山構造部材は、前記管状連結構造のスタブ位置を制御するよう寸法決めされると共に配置され、前記スタブ位置では、前記第１の可変ピッチ螺旋トルク肩表面は、前記第２の可変ピッチ螺旋トルク肩表面に係合せず又は前記第２の可変ピッチ螺旋トルク肩表面とオーバーラップしない、管状連結構造。
【請求項１２】
前記第１の可変ピッチ螺旋トルク肩表面及び前記第２の可変ピッチ螺旋トルク肩表面は、前記スタブフランクリードよりも大きいロードフランクリードを有する、請求項１１に記載の管状連結構造。
【請求項１３】
前記第１のねじ山構造部材と前記第２のねじ山構造部材の相互作用の制御下における前記ピン部材及び前記ボックス部材の回転メーキャップの間、前記第１の可変ピッチ螺旋トルク肩表面が案内されてこれが前記第２の可変ピッチ螺旋トルク肩表面と協働整列関係をなすように（ｉ）前記第１のねじ山構造部材と前記第１の可変ピッチ螺旋トルク肩表面は、互いに対して寸法決めされると共に配置され、且つ（ｉｉ）前記第２のねじ山構造部材と前記第２の可変ピッチ螺旋トルク肩表面は、互いに対して寸法決めされると共に配置されている、請求項１１記載の管状連結構造。
【請求項１４】
前記第１の可変ピッチ螺旋トルク肩表面は、前記ピン部材の第１の実質的に円筒形のトルク肩内に実質的に延び、前記第２の可変ピッチ螺旋トルク肩表面は、前記ボックス部材の第２の実質的に円筒形のトルク肩内に実質的に延び、前記連結構造の完全メーキャップ位置では、前記第１の実質的に円筒形のトルク肩は、前記第２の実質的に円筒形のトルク肩に係合し、前記第１の可変ピッチ螺旋トルク肩表面は、前記第２の可変ピッチ螺旋トルク肩表面に係合し、結果として、組み合わせ型円筒形・可変ピッチ螺旋トルク肩が得られる、請求項１１記載の管状連結構造。
【請求項１５】
オイルカントリー管状ケーシング又はパイピングの管状長さ分を接合する方法であって、前記方法は、
関連のピン部材を有する第１の管状部材を利用するステップを含み、前記ピン部材は、第１のテーパ付き定ピッチ形ねじ山構造部材及び前記第１のねじ山構造部材から前記ピン部材に沿って軸方向に間隔を置いて設けられた第１の可変ピッチ螺旋トルク肩表面を備え、
関連のボックス部材を有する第２の管状部材を利用するステップを含み、前記ボックス部材は、第２のテーパ付き定ピッチ形ねじ山構造部材及び前記第２のねじ山構造部材から前記ボックス部材に沿って軸方向に間隔を置いて設けられた第２の可変ピッチ螺旋トルク肩表面を備え、
前記ピン部材と前記ボックス部材を互いに係合させて前記第１のねじ山構造部材と前記第２のねじ山構造部材の相互作用により定められるスタブ位置に至らせるステップを含み、前記スタブ位置では、前記第１の可変ピッチ螺旋トルク肩表面は、前記第２の可変ピッチ螺旋トルク肩表面に係合せず又は前記第２の可変ピッチ螺旋トルク肩表面とオーバーラップせず、
前記第１の管状部材又は前記第２の管状部材のうちの少なくとも一方を回転させて前記第１のねじ山構造部材と前記第２のねじ山構造部材の相互作用により、前記第１の可変ピッチ螺旋トルク肩表面が案内されてこれが前記第２の可変ピッチ螺旋トルク肩表面と協働整列関係をなすようになるステップを含む、方法。
【請求項１６】
前記ピン部材は、前記第１の管状部材と一体に形成され、前記ボックス部材は、前記第２の管状部材と一体に形成される、請求項１２記載の方法。